(57)【要約】  本願の実施例は、データを伝送するための方法、端末装置及びネットワーク装置を提供する。該方法は、端末装置がネットワーク装置からの準静的構成情報を受信することであって、前記準静的構成情報は無線ベアラ（ＲＢ）に対応するパケットデータコンバージェンスプロトコル（ＰＤＣＰ）エンティティの複製データ伝送機能の初期状態を指示するために使用され、前記初期状態はオン状態又はオフ状態を含むことと、該端末装置が該準静的構成情報に基づいて、第１のＲＢを確立することと、を含む。本願の実施例によって提供される方法、端末装置及びネットワーク装置は、データ伝送の信頼性の向上に寄与する。
2020529145.tif 000002
【特許請求の範囲】
【請求項１】
データを伝送するための方法であって、
端末装置がネットワーク装置からの準静的構成情報を受信することであって、前記準静的構成情報は無線ベアラ（ＲＢ）に対応するパケットデータコンバージェンスプロトコル（ＰＤＣＰ）エンティティの複製データ伝送機能の初期状態を指示するために使用され、前記初期状態はオン状態又はオフ状態を含むことと、
前記端末装置が前記準静的構成情報に基づいて、第１のＲＢを確立することと、を含むことを特徴とする、前記方法。
【請求項２】
前記第１のＲＢは１つのＰＤＣＰエンティティ及び前記１つのＰＤＣＰエンティティに対応する複数の無線リンク制御（ＲＬＣ）エンティティを含むことを特徴とする
請求項１に記載の方法。
【請求項３】
前記初期状態がオフ状態であり、前記第１のＲＢは１つのＰＤＣＰエンティティ及び前記１つのＰＤＣＰエンティティに対応する１つの無線リンク制御（ＲＬＣ）エンティティを含むことを特徴とする
請求項１に記載の方法。
【請求項４】
前記方法は、前記端末装置がネットワーク装置からの、前記第１のＲＢに対応するＰＤＣＰエンティティの複製データ伝送状態の切り替えを指示するための切り替え情報を受信することと、
前記端末装置が前記切り替え情報に基づいて、前記ネットワーク装置にデータを送信することと、を更に含むことを特徴とする
請求項１から３のうちいずれか一項に記載の方法。
【請求項５】
前記初期状態がオン状態であり、前記端末装置が前記切り替え情報に基づいて、前記ネットワーク装置にデータを送信することは、
前記端末装置が前記第１のＲＢに対応するＰＤＣＰエンティティに対応する複数のＲＬＣエンティティのうちの第１のＲＬＣエンティティによって前記ネットワーク装置に非複製データを送信することを含むことを特徴とする
請求項４に記載の方法。
【請求項６】
前記方法は、前記端末装置が前記第１のＲＬＣエンティティを指示するための指示情報を受信することを更に含むことを特徴とする
請求項５に記載の方法。
【請求項７】
前記初期状態がオフ状態であり、前記端末装置が前記切り替え情報に基づいて、前記ネットワーク装置にデータを送信することは、
前記１ＲＢに対応するＰＤＣＰエンティティが複数のＲＬＣエンティティに対応する場合、前記端末装置が前記複数のＲＬＣエンティティのうちの少なくとも２つのＲＬＣエンティティにより前記ネットワーク装置に複製データを送信することを含むことを特徴とする
請求項４に記載の方法。
【請求項８】
前記該初期状態がオフ状態であり、前記端末装置が前記切り替え情報に基づいて、前記ネットワーク装置にデータを送信することは、
前記第１のＲＢに対応するＰＤＣＰエンティティが１つのＲＬＣエンティティに対応する場合、前記端末装置が前記ネットワーク装置からの、複製データの伝送に用いられる別の少なくとも１つのＲＬＣエンティティを指示するための指示情報を受信することと、
前記端末装置が前記１つのＲＬＣエンティティ及び前記少なくとも１つのＲＬＣエンティティにより前記ネットワーク装置に複製データを送信することと、を含むことを特徴とする
請求項４に記載の方法。
【請求項９】
前記端末装置が前記ネットワーク装置からの切り替え情報を受信することは、
前記端末装置が前記ネットワーク装置からの前記切り替え情報を媒体アクセス制御（ＭＡＣ）制御エレメント（ＣＥ）により受信することを含むことを特徴とする
請求項４から８のうちいずれか一項に記載の方法。
【請求項１０】
前記ＲＢはデータ無線ベアラ（ＤＲＢ）及び／又はシグナリング無線ベアラ（ＳＲＢ）を含むことを特徴とする
請求項１から９のうちいずれか一項に記載の方法。
【請求項１１】
データを伝送するための方法であって、
ネットワーク装置が準静的構成情報を端末装置に送信することであって、前記準静的構成情報は無線ベアラ（ＲＢ）に対応するパケットデータコンバージェンスプロトコル（ＰＤＣＰ）エンティティの複製データ伝送機能の初期状態を指示するために使用され、前記初期状態はオン状態又はオフ状態を含むことを含む特徴とする、前記方法。
【請求項１２】
前記方法は、前記ネットワーク装置が、第１のＲＢに対応するＰＤＣＰエンティティの複製データ伝送機能の状態の切り替えを指示するための切り替え情報を前記端末装置に送信することを更に含むことを特徴とする
請求項１１に記載の方法。
【請求項１３】
前記初期状態がオン状態であり、前記方法は、
前記ネットワーク装置が前記第１のＲＢに対応するＰＤＣＰエンティティに対応する複数の無線リンク制御（ＲＬＣ）エンティティのうちの第１のＲＬＣエンティティにより、前記端末装置からの非複製データを受信することを更に含むことを特徴とする
請求項１２に記載の方法。
【請求項１４】
前記方法は、前記ネットワーク装置が、前記第１のＲＬＣエンティティを指示するための指示情報を前記端末装置に送信することを更に含むことを特徴とする
請求項１３に記載の方法。
【請求項１５】
前記初期状態がオフ状態であり、前記方法は、
前記第１のＲＢに対応するＰＤＣＰエンティティが複数のＲＬＣエンティティに対応する場合、前記ネットワーク装置が前記複数のＲＬＣエンティティのうちの少なくとも二つのＲＬＣエンティティにより、前記端末からの複製データを受信することを更に含むことを特徴とする
請求項１２に記載の方法。
【請求項１６】
初期状態がオフ状態であり、前記方法は、
前記第１のＲＢに対応するＰＤＣＰエンティティが一つのＲＬＣエンティティのみに対応する場合、前記ネットワーク装置が、別の少なくとも１つのＲＬＣエンティティを指示するための指示情報を前記端末装置に送信することと、
前記ネットワーク装置が前記１つのＲＬＣエンティティ及び前記少なくとも１つのＲＬＣエンティティにより、前記端末装置からの複製データを受信することと、を含むことを特徴とする
請求項１２に記載の方法。
【請求項１７】
前記ネットワーク装置が前記端末装置に切り替え情報を送信することは、前記ネットワーク装置が前記切り替え情報を媒体アクセス制御（ＭＡＣ）制御エレメント（ＣＥ）により前記端末装置に送信することを含むことを特徴とする
請求項１２から１６のうちいずれか一項に記載の方法。
【請求項１８】
前記ＲＢはデータ無線ベアラ（ＤＲＢ）及び／又はシグナリング無線ベアラ（ＳＲＢ）を含むことを特徴とする
請求項１１から１７のうちいずれか一項に記載の方法。
【請求項１９】
端末装置であって、
ネットワーク装置からの準静的構成情報を受信するための第１受信ユニットであって、前記準静的構成情報は無線ベアラ（ＲＢ）に対応するパケットデータコンバージェンスプロトコル（ＰＤＣＰ）エンティティの複製データ伝送機能の初期状態を指示するために使用され、前記初期状態はオン状態又はオフ状態を含む、第１受信ユニットと、
前記準静的構成情報に基づいて、第１のＲＢを確立するための確立ユニットと、を備えることを特徴とする前記端末装置。
【請求項２０】
前記第１のＲＢは、１つのＰＤＣＰエンティティと、前記１つのＰＤＣＰエンティティに対応する複数の無線リンク制御（ＲＬＣ）エンティティとを備えることを特徴とする
請求項１９に記載の端末装置。
【請求項２１】
前記初期状態がオフ状態であり、前記第１のＲＢは１つのＰＤＣＰエンティティと、前記１つのＰＤＣＰエンティティに対応する１つの無線リンク制御（ＲＬＣ）エンティティとを備えることを特徴とする
請求項１９に記載の端末装置。
【請求項２２】
前記端末装置は、
前記ネットワーク装置からの、前記第１のＲＢに対応するＰＤＣＰエンティティの複製データ伝送状態の切り替えを指示するための切り替え情報を受信するための第２受信ユニットと、
前記切り替え情報に基づいて、前記ネットワーク装置にデータを送信するための送信ユニットと、を更に備えることを特徴とする
請求項１９から２１のうちいずれか一項に記載の端末装置。
【請求項２３】
前記初期状態がオン状態であり、前記送信ユニットは具体的には、
前記第１のＲＢに対応するＰＤＣＰエンティティに対応する複数のＲＬＣエンティティのうちの第１のＲＬＣエンティティにより前記ネットワーク装置に非複製データを送信するために用いられることを特徴とする
請求項２２に記載の端末装置。
【請求項２４】
前記端末装置は、前記第１のＲＬＣエンティティを指示するための指示情報を受信するための第２受信ユニットを更に備えることを特徴とする
請求項２３に記載の端末装置。
【請求項２５】
前記初期状態がオフ状態であり、前記送信ユニットは具体的には、
前記第１のＲＢに対応するＰＤＣＰエンティティが複数のＲＬＣエンティティに対応する場合、前記複数のＲＬＣエンティティのうちの少なくとも２つのＲＬＣエンティティにより前記ネットワーク装置に複製データを送信するために用いられることを特徴とする
請求項２２に記載の端末装置。
【請求項２６】
前記初期状態がオフ状態であり、前記送信ユニットは具体的には、
前記第１のＲＢに対応するＰＤＣＰエンティティが１つのＲＬＣエンティティに対応する場合、前記ネットワーク装置からの、複製データの伝送に用いられる別の少なくとも１つのＲＬＣエンティティを指示するための指示情報を受信し、
前記１つのＲＬＣエンティティ及び前記少なくとも１つのＲＬＣエンティティにより前記ネットワーク装置に複製データを送信するために用いられることを特徴とする
請求項２２に記載の端末装置。
【請求項２７】
前記第１受信ユニットは具体的には、
媒体アクセス制御（ＭＡＣ）制御エレメント（ＣＥ）により前記ネットワーク装置からの前記切り替え情報を受信するために用いられることを特徴とする
請求項２２から２６のうちいずれか一項に記載の端末装置。
【請求項２８】
前記ＲＢはデータ無線ベアラ（ＤＲＢ）及び／又はシグナリング無線ベアラ（ＳＲＢ）を含むことを特徴とする
請求項１９から２７のうちいずれか一項に記載の端末装置。
【請求項２９】
ネットワーク装置であって、
準静的構成情報を決定するための決定ユニットであって、前記準静的構成情報は無線ベアラ（ＲＢ）に対応するパケットデータコンバージェンスプロトコル（ＰＤＣＰ）エンティティの複製データ伝送機能の初期状態を指示するために使用され、前記初期状態はオン状態又はオフ状態を含む、決定ユニットと、
端末装置に前記準静的構成情報を送信するための第１送信ユニットと、を備えることを特徴とする前記端末装置。
【請求項３０】
前記ネットワーク装置は、
第１のＲＢに対応するＰＤＣＰエンティティの複製データ伝送機能の状態の切り替えを指示するための切り替え情報を前記端末装置に送信するための第２送信ユニットを更に備えることを特徴とする
請求項２９に記載のネットワーク装置。
【請求項３１】
前記初期状態がオン状態であり、前記ネットワーク装置は、
前記第１のＲＢに対応するＰＤＣＰエンティティに対応する複数の無線リンク制御（ＲＬＣ）エンティティのうちの第１のＲＬＣエンティティにより、前記端末装置からの非複製データを受信するための受信ユニットを更に備えることを特徴とする
請求項３０に記載のネットワーク装置。
【請求項３２】
前記ネットワーク装置は、
前記第１のＲＬＣエンティティを指示するための指示情報を前記端末装置に送信するための第３送信ユニットを備えることを特徴とする
請求項３１に記載のネットワーク装置。
【請求項３３】
前記初期状態がオフ状態であり、前記ネットワーク装置は、
前記第１のＲＢに対応するＰＤＣＰエンティティが複数のＲＬＣエンティティに対応する場合、前記複数のＲＬＣエンティティのうちの少なくとも２つのＲＬＣエンティティにより、前記端末装置からの複製データを受信するための受信ユニットを更に備えることを特徴とする
請求項３０に記載のネットワーク装置。
【請求項３４】
前記初期状態がオフ状態であり、前記ネットワーク装置は、
前記第１のＲＢに対応するＰＤＣＰエンティティが一つのＲＬＣエンティティのみに対応する場合、別の少なくとも１つのＲＬＣエンティティを指示するための指示情報を前記端末装置に送信するための第３送信ユニットと、
前記１つのＲＬＣエンティティ及び前記少なくとも１つのＲＬＣエンティティにより、前記端末装置からの複製データを受信するための受信ユニットと、を更に備えることを特徴とする
請求項３０に記載のネットワーク装置。
【請求項３５】
前記第１送信ユニットは具体的には、
媒体アクセス制御（ＭＡＣ）制御エレメント（ＣＥ）により前記端末装置に前記切り替え情報を送信するために用いられることを特徴とする
請求項３０から３４のうちいずれか一項に記載のネットワーク装置。
【請求項３６】
前記ＲＢはデータ無線ベアラ（ＤＲＢ）及び／又はシグナリング無線ベアラ（ＳＲＢ）を含むことを特徴とする
請求項２９から３５のうちいずれか一項に記載のネットワーク装置。
【発明の詳細な説明】
【技術分野】
【０００１】
本願の実施例は通信分野に関し、より具体的には、データを伝送するための方法、端末装置及びネットワーク装置に関する。
【背景技術】
【０００２】
新しい無線（Ｎｅｗ  Ｒａｄｉｏ：ＮＲ）システムにおいて、データ伝送の信頼性に求められている要件がより高くなっており、データ伝送の信頼性を如何に向上させるかは、絶えず検討されてきた課題である。
【発明の概要】
【発明が解決しようとする課題】
【０００３】
これに鑑み、本願の実施例は、データを伝送するための方法、端末装置及びネットワーク装置を提供することで、データ伝送の信頼性の向上に寄与する。
【課題を解決するための手段】
【０００４】
第１態様において、データを伝送するための方法を提供し、該方法は、端末装置がネットワーク装置からの準静的構成情報（Ｓｅｍｉ−Ｓｔａｔｉｃ  Ｃｏｎｆｉｇｕｒａｔｉｏｎ  Ｉｎｆｏｒｍａｔｉｏｎ）を受信することであって、該準静的構成情報は無線ベアラ（Ｒａｄｉｏ  Ｂｅａｒｅｒ：ＲＢ）に対応するパケットデータコンバージェンスプロトコル（Ｐａｃｋｅｔ  Ｄａｔａ  Ｃｏｎｖｅｒｇｅｎｃｅ  Ｐｒｏｔｏｃｏｌ：ＰＤＣＰ）エンティティの複製データ伝送機能の初期状態を指示するために使用され、該初期状態はオン状態又はオフ状態を含むことと、該端末装置が該準静的構成情報に基づいて、第１のＲＢを確立することと、を含む。
【０００５】
ネットワーク装置により、ＲＢの複製データ伝送状態に対応するベアラを設定することで、データ伝送の信頼性の向上に寄与する。
【０００６】
任意選択的に、本願の実施例の態様は、上りデータ伝送にも、端末間（Ｄｅｖｉｃｅ−ｔｏ−Ｄｅｖｉｃｅ：Ｄ２Ｄ）での通信にも適用可能である。
【０００７】
ＲＢは、ネットワーク装置がユーザ装置のために割り当てる一連のプロトコルエンティティ及び設定（Ｃｏｎｆｉｇｕｒａｔｉｏｎ）の総称である。それは、ＰＤＣＰエンティティ、無線リンク制御（Ｒａｄｉｏ  Ｌｉｎｋ  Ｃｏｎｔｒｏｌ：ＲＬＣ）エンティティ及び媒体アクセス制御（Ｍｅｄｉａ  Ａｃｃｅｓｓ  Ｃｏｎｔｒｏｌ：ＭＡＣ）エンティティ並びに物理レイヤ（Ｐｈｙｓｉｃａｌ  ｌａｙｅｒ：ＰＨＹ）により割り当てられる一連のリソース等を含む。ＲＢはシグナリグ無線ベアラ（Ｓｉｇｎａｌｌｉｎｇ  Ｒａｄｉｏ  Ｂｅａｒｅｒ：ＳＲＢ）及びデータ無線ベアラ（Ｄａｔａ  Ｒａｄｉｏ  Ｂｅａｒｅｒ：ＤＲＢ）を含み、ＳＲＢは、システムにおけるシグナリングメッセージの実際の伝送チャネルであり、ＤＲＢはユーザデータの実際の伝送チャネルである。
【０００８】
考えられる実施形態において、該第１のＲＢは、１つのＰＤＣＰエンティティと、該１つのＰＤＣＰエンティティに対応する複数の無線リンク制御（ＲＬＣ）エンティティとを含む。
【０００９】
考えられる実施形態において、該初期状態はオフ状態となり、該第１のＲＢは、１つのＰＤＣＰエンティティと、該１つのＰＤＣＰエンティティに対応する１つの無線リンク制御（ＲＬＣ）エンティティとを含む。
【００１０】
考えられる実施形態において、該方法は、該端末装置がネットワーク装置からの、該第１のＲＢに対応するＰＤＣＰエンティティの複製データ伝送状態の切り替えを指示するための切り替え情報を受信するステップと、該端末装置が該切り替え情報に基づいて、該ネットワーク装置にデータを送信するステップとを更に含む。
【００１１】
ＲＢに対応するＰＤＣＰエンティティの複製データ伝送機能の状態を動的に調整することで、データ伝送の柔軟性の向上に寄与する。
【００１２】
任意選択的に、ネットワーク装置は、複数のＲＢに対応するＰＤＣＰエンティティの複製データ伝送状態を同時に切り替えることができる。任意選択的な形態として、ビットマップの形態で該複数のＲＢの状態を指示する。別の任意選択的な形態として、いずれか又は幾つかのＲＢの識別子を直接的に端末装置に送信することができる。
【００１３】
任意選択的に、ネットワーク装置から端末装置に送信されるＲＢの識別子が、該ＲＢが複製データ伝送状態を使用してもよいことを表すか、又は該ＲＢが複製データ伝送状態を使用しなくてもよいことを表す旨をネットワーク装置と端末装置との間で予め約束することができる。
【００１４】
考えられる実施形態において、該初期状態がオン状態であり、該端末装置が該切り替え情報に基づいて、該ネットワーク装置にデータを送信することは、該端末装置が該第１のＲＢに対応するＰＤＣＰエンティティに対応する複数のＲＬＣエンティティのうちの第１のＲＬＣエンティティによって該ネットワーク装置に非複製データを送信することを含む。
【００１５】
任意選択的に、該第１のＲＬＣエンティティは複数であってもよい。つまり、１つのＰＤＣＰプロトコルデータユニット（Ｐｒｏｔｏｃｏｌ  Ｄａｔａ  Ｕｎｉｔ：ＰＤＵ）を分割してから複数のＲＬＣエンティティにより伝送してもよい。ここで、それぞれのＲＬＣエンティティにより１つのＰＤＣＰ  ＰＤＵの一部を伝送することに留意されたい。
【００１６】
考えられる実施形態において、該方法は、該端末装置が該第１のＲＬＣエンティティを指示するための指示情報を受信することを更に含む。
【００１７】
任意選択的に、該指示情報は、いずれかのＲＬＣエンティティ又は幾つかのＲＬＣエンティティに対応する論理チャネルの識別子であってもよい。又は、いずれかのＲＬＣエンティティ又は幾つかのＲＬＣエンティティを非複製データの伝送に適用可能であって、どのＲＬＣエンティティがデータ伝送を停止してもよいかを明示的な指示により指示することができる。
【００１８】
考えられる実施形態において、該初期状態がオフ状態であり、該端末装置が該切り替え情報に基づいて、該ネットワーク装置にデータを送信することは、該第１のＲＢに対応するＰＤＣＰエンティティが複数のＲＬＣエンティティに対応する場合、該端末装置が該複数のＲＬＣエンティティのうちの少なくとも２つのＲＬＣエンティティにより該ネットワーク装置に複製データを送信することを含む。
【００１９】
考えられる実施形態において、該初期状態がオフ状態であり、該端末装置が該切り替え情報に基づいて、該ネットワーク装置にデータを送信することは、該第１のＲＢに対応するＰＤＣＰエンティティが１つのＲＬＣエンティティに対応する場合、該端末装置が該ネットワーク装置からの、複製データの伝送に用いられる別の少なくとも１つのＲＬＣエンティティを指示するための指示情報を受信することと、該端末装置が該１つのＲＬＣエンティティ及び該少なくとも１つのＲＬＣエンティティにより該ネットワーク装置に複製データを送信することと、を含む。
【００２０】
考えられる実施形態において、該端末装置が該ネットワーク装置からの切り替え情報を受信することは、該端末装置がネットワーク装置からの該切り替え情報を該媒体アクセス制御（ＭＡＣ）制御エレメント（Ｃｏｎｔｒｏｌ  Ｅｌｅｍｅｎｔ：ＣＥ）により受信することを含む。
【００２１】
第２態様において、データを伝送するための方法を提供し、該方法は、ネットワーク装置が準静的構成情報を端末装置に送信することであって、該準静的構成情報は無線ベアラ（ＲＢ）に対応するパケットデータコンバージェンスプロトコル（ＰＤＣＰ）エンティティの複製データ伝送機能の初期状態を指示するために使用され、該初期状態はオン状態又はオフ状態を含むことを含む。
【００２２】
考えられる実施形態において、該方法は、該ネットワーク装置が、第１のＲＢに対応するＰＤＣＰエンティティの複製データ伝送機能の状態の切り替えを指示するための切り替え情報を該端末装置に送信することを更に含む。
【００２３】
考えられる実施形態において、該初期状態がオン状態であり、該方法は、該ネットワーク装置が該第１のＲＢに対応するＰＤＣＰエンティティに対応する複数の無線リンク制御（ＲＬＣ）エンティティのうちの第１のＲＬＣエンティティにより、該端末装置からの非複製データを受信することを更に含む。
【００２４】
考えられる実施形態において、該方法は、該ネットワーク装置が、該第１のＲＬＣエンティティを指示するための指示情報を該端末装置に送信することを更に含む。
【００２５】
考えられる実施形態において、該初期状態がオフ状態であり、該方法は、該第１のＲＢに対応するＰＤＣＰエンティティが複数のＲＬＣエンティティに対応する場合、該ネットワーク装置が該複数のＲＬＣエンティティのうちの少なくとも２つのＲＬＣエンティティにより、該端末からの複製データを受信することを更に含む。
【００２６】
考えられる実施形態において、該初期状態がオフ状態であり、該方法は、該第１のＲＢに対応するＰＤＣＰエンティティが一つのＲＬＣエンティティのみに対応する場合、該ネットワーク装置が、別の少なくとも１つのＲＬＣエンティティを指示するための指示情報を該端末装置に送信することと、該ネットワーク装置が該１つのＲＬＣエンティティ及び該少なくとも１つのＲＬＣエンティティにより、該端末装置からの複製データを受信することとを更に含む。
【００２７】
考えられる実施形態において、該ネットワーク装置が該端末装置に切り替え情報を送信することは、該ネットワーク装置が該切り替え情報を媒体アクセス制御（ＭＡＣ）制御エレメント（ＣＥ）により該端末装置に送信することを含む。
【００２８】
考えられる実施形態において、該ＲＢは、データ無線ベアラ（ＤＲＢ）及び／又はシグナリング無線ベアラ（ＳＲＢ）を含む。
【００２９】
第３態様において、上記第１態様又は第１態様の考えられるいずれかの実施形態における方法を実行するための端末装置を提供する。具体的には、該端末装置は、上記第１態様又は第１態様の考えられるいずれかの実施形態における方法を実行するためのユニットを備える。
【００３０】
第４態様において、上記第２態様又は第２態様の考えられるいずれかの実施形態における方法を実行するためのネットワーク装置を提供する。具体的には、該ネットワーク装置は、上記第２態様又は第２態様の考えられるいずれかの実施形態における方法を実行するためのユニットを備える。
【００３１】
第５態様において、メモリと、プロセッサと、入力インタフェースと、出力インタフェースとを備える端末装置を提供する。ここで、メモリ、プロセッサ、入力インタフェース及び出力インタフェースはバスシステムを介して接続される。該メモリは命令を記憶するために用いられ、該プロセッサは該メモリに記憶されている命令を実行するために用いられ、上記第１態様又は第１態様の考えられるいずれかの実施形態における方法を実行するために用いられる。
【００３２】
第６態様において、メモリと、プロセッサと、入力インタフェースと、出力インタフェースとを備えるネットワーク装置を提供する。ここで、メモリ、プロセッサ、入力インタフェース及び出力インタフェースはバスシステムを介して接続される。該メモリは命令を記憶するために用いられ、該プロセッサは該メモリに記憶されている命令を実行するために用いられ、上記第２態様又は第２態様の考えられるいずれかの実施形態における方法を実行するために用いられる。
【００３３】
第７態様において、上記第１態様又は第１態様の考えられるいずれかの実施形態における方法、或いは上記第２態様又は第２態様の考えられるいずれかの実施形態における方法の実行に用いられるコンピュータソフトウェア命令を記憶するためのコンピュータ記憶媒体を提供し、該命令は、上記形態の実行のために設計されたプログラムを含む。
【００３４】
第８態様において、命令を含むコンピュータプログラム製品を提供する。該製品がコンピュータ上で実行される時、コンピュータに、上記第１態様又は第１態様の考えられるいずれかの実施形態における方法、或いは上記第２態様又は第２態様の考えられるいずれかの実施形態における方法を実行させる。
【００３５】
本願のこれらの態様又は他の態様は以下の実施例の記述においてより分かりやすくなる。
【図面の簡単な説明】
【００３６】
【図１】図１は本願の実施例の１つの適用場面を示す概略図である。
【図２】図２はキャリアアグリゲーションの場合の複製データ伝送のプロトコルアーキテクチャを示す図である。
【図３】図３は本願の実施例のデータを伝送するための方法を示す概略的ブロック図である。
【図４】図４は本願の実施例のデータを伝送するための方法を示す別の概略的ブロック図である。
【図５】図５は本願の実施例のデータを伝送するための端末装置を示す概略的ブロック図である。
【図６】図６は本願の実施例のデータを伝送するためのネットワーク装置を示す概略的ブロック図である。
【図７】図７は本願の実施例のデータを伝送するための端末装置を示す別の概略的ブロック図である。
【図８】図８は本願の実施例のデータを伝送するためのネットワーク装置を示す別の概略的ブロック図である。
【発明を実施するための形態】
【００３７】
以下、本願の実施例における図面を参照しつつ本願の実施例における技術的解決手段を明瞭かつ完全に説明する。
【００３８】
本願の実施例の解決手段は、例えばグローバルモバイル通信システム（Ｇｌｏｂａｌ  Ｓｙｓｔｅｍ  ｏｆ  Ｍｏｂｉｌｅ  Ｃｏｍｍｕｎｉｃａｔｉｏｎ：ＧＳＭ）、符号分割多元接続（Ｃｏｄｅ  Ｄｉｖｉｓｉｏｎ  Ｍｕｌｔｉｐｌｅ  Ａｃｃｅｓｓ：ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ：ＧＰＲＳ）、ＬＴＥシステム、ＬＴＥ周波数分割複信（Ｆｒｅｑｕｅｎｃｙ  Ｄｉｖｉｓｉｏｎ  Ｄｕｐｌｅｘ：ＦＤＤ）システム、ＬＴＥ時分割複信（Ｔｉｍｅ  Ｄｉｖｉｓｉｏｎ  Ｄｕｐｌｅｘ：ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）、ワイマックス（ＷｏｒｌｄＷｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ）通信システム、ＮＲ又は将来の５Ｇシステムといった種々の通信システムに適用されてもよいことが理解されるべきである。
【００３９】
特に、本願の技術的解決手段は、例えばスパースコード多重アクセス（Ｓｐａｒｓｅ  Ｃｏｄｅ  Ｍｕｌｔｉｐｌｅ  Ａｃｃｅｓｓ：ＳＣＭＡ）システム、低密度署名（Ｌｏｗ  Ｄｅｎｓｉｔｙ  Ｓｉｇｎａｔｕｒｅ：ＬＤＳ）システム等といった種々の、非直交多元アクセス技術に基づいた通信システムに適用されてもよい。当然ながら、ＳＣＭＡシステム及びＬＤＳシステムは通信分野において他の名称とも呼ばれる。更に、本願の実施例の技術的解決手段は、非直交多元アクセス技術を用いた直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）、フィルタバンクマルチキャリア（Ｆｉｌｔｅｒ  Ｂａｎｋ  Ｍｕｌｔｉ−Ｃａｒｒｉｅｒ：ＦＢＭＣ）、汎用周波数分割多重化（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ：ＧＦＤＭ）、フィルタリングされた直交周波数分割多重化（Ｆｉｌｔｅｒｅｄ−ＯＦＤＭ：Ｆ−ＯＦＤＭ）システム等といった種々の、非直交多元アクセス技術を用いたマルチキャリア伝送システムに適用されてもよい。
【００４０】
本願の実施例における端末装置はユーザ装置（Ｕｓｅｒ  Ｅｑｕｉｐｍｅｎｔ：ＵＥ）、アクセス端末、ユーザユニット、ユーザ局、移動ステーション、移動局、遠隔局、遠隔端末、移動装置、ユーザ端末、端末、無線通信装置、ユーザ用エージェント又はユーザ装置であってもよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ：ＳＩＰ）電話、ワイヤレスローカルループ（Ｗｉｒｅｌｅｓｓ  Ｌｏｃａｌ  Ｌｏｏｐ：ＷＬＬ）局、パーソナルデジタルアシスタント（Ｐｅｒｓｏｎａｌ  Ｄｉｇｉｔａｌ  Ａｓｓｉｓｔａｎｔ：ＰＤＡ）、無線通信機能を有するハンドヘルド装置、計算装置又は無線モデムに接続される他の処理装置、車載装置、ウェアラブル装置、将来の５Ｇシステムにおける端末装置又は将来の進化型公衆陸上移動体ネットワーク（Ｐｕｂｌｉｃ  Ｌａｎｄ  Ｍｏｂｉｌｅ  Ｎｅｔｗｏｒｋ：ＰＬＭＮ）における端末装置等であってもよく、本願の実施例はこれを限定するものではない。
【００４１】
本願の実施例におけるネットワーク装置は端末装置と通信を行う装置であってもよく、該ネットワーク装置は、ＧＳＭ又はＣＤＭＡにおける基地局（Ｂａｓｅ  Ｔｒａｎｓｃｅｉｖｅｒ  Ｓｔａｔｉｏｎ：ＢＴＳ）であってもよいし、ＷＣＤＭＡシステムにおける基地局（ＮｏｄｅＢ：ＮＢ）であってもよく、また、ＬＴＥシステムにおける進化型基地局（Ｅｖｏｌｕｔｉｏｎａｌ  ＮｏｄｅＢ：ｅＮＢ又はｅＮｏｄｅＢ）であってもよく、更にクラウド無線アクセスネットワーク（Ｃｌｏｕｄ  Ｒａｄｉｏ  Ａｃｃｅｓｓ  Ｎｅｔｗｏｒｋ：ＣＲＡＮ）の場合の無線コントローラであってもよい。又は、該ネットワーク装置は、中継局、アクセスポイント、車載装置、ウェアラブル装置、将来の５Ｇシステムにおけるネットワーク装置又は将来の進化型ＰＬＭＮネットワークにおける端末装置等であってもよく、本願の実施例はこれを限定するものではない。
【００４２】
図１は本願の実施例の１つの適用場面を示す概略図である。図１における通信システムは、端末装置１０と、ネットワーク装置２０とを備えてもよい。ネットワーク装置２０は、通信サービスを端末装置１０に提供してコアネットワークにアクセスするために用いられる。端末装置１０は、ネットワーク装置２０からの同期信号、ブロードキャスト信号等を検索することによりネットワークにアクセスすることで、ネットワークとの通信を行う。図１に示した矢印は、端末装置１０とネットワーク２０との間のセルラリンクを介して行われる上り／下り伝送を表すことができる。
【００４３】
現在のＮＲに関する検討において、ＰＤＣＰがデータ複製機能をサポート可能であることが合意されている。即ち、ＰＤＣＰのデータ複製機能を利用して、複製されたデータを２つ又は複数の論理チャネルに対応させ、複製された複数の同じＰＤＣＰ  ＰＤＵを異なる物理レイヤ集約キャリアで伝送できることを最終的に確保することで、周波数ダイバーシチゲインを得てデータ伝送の信頼性を向上させる。
【００４４】
理解を容易にするために、以下、図２を参照しつつ複製データを如何に異なる物理キャリアにスケジューリングするかについて簡単に説明する。図２に示すように、ＰＤＣＰレイヤは、スプリットベアラ複製機能を有し、ＰＤＣＰ  ＳＤＵ１のデータプロセスを複製してＰＤＣＰ  ＰＤＵ１及びＰＤＣＰ  ＰＤＵ2となるようにパッケジングする。ＰＤＣＰ  ＰＤＵ１とＰＤＣＰ  ＰＤＵ2は同じコンテンツを有する。即ち、搬送されるデータｐａｙｌｏａｄ及びヘッダーｈｅａｄｅｒはいずれも同じである。ＰＤＣＰ  ＰＤＵ１及びＰＤＣＰ  ＰＤＵ２をそれぞれ異なるＲＬＣエンティティにマッピングする。ＲＬＣエンティティはＰＤＣＰ  ＰＤＵ１及びＰＤＣＰ  ＰＤＵ２を異なる論理チャネル（論理チャネル１及び論理チャネル２）に配置する。ＭＡＣは、どの論理チャネルが同一のＰＤＣＰ  ＰＤＵの複製データを伝送するかを知った後、これらの複製データを異なるハイブリッド自動再送要求ＨＡＲＱエンティティで異なるキャリアを介して伝送する。例えば、論理チャネル１によって搬送された複製データをＨＡＲＱエンティティ１で物理キャリア１を介して伝送し、論理チャネル２によって搬送された複製データをＨＡＲＱエンティティ２で物理キャリア２を介して伝送する。
【００４５】
現在の検討において、ＰＤＣＰエンティティの複製データ伝送機能の設定を如何に実現させるか、また、対応するベアラを如何に確立するかについてまだ明確な解決手段がない。
【００４６】
上りＰＤＣＰデータ複製機能は、無線ベアラ（Ｒａｄｉｏ  Ｂｅａｒｅｒ：ＲＢ）に基づいて設定されるものであってもよく、つまり、異なるＲＢはＰＤＣＰ複製データの伝送をサポートするように設定されてもよく、ＰＤＣＰ複製データ伝送機能が設定されなくてもよいことが当業者であれば理解されるべきである。
【００４７】
ＲＢは基地局がＵＥのために割り当てる一連のプロトコルエンティティ及び設定の総称である。それはＰＤＣＰプロトコルエンティティ、ＲＬＣプロトコルエンティティ及びＭＡＣ並びにＰＨＹにより割り当てられる一連のリソース等を含む。ＲＢはＳＲＢ及びＤＲＢを含み、ＳＲＢは、システムにおけるシグナリングメッセージの実際の伝送チャネルであり、ＤＲＢはユーザデータの実際の伝送チャネルである。
【００４８】
図３は本願の実施例のデータを伝送するための方法１００を示す概略的ブロック図である。該方法１００は、ステップＳ１１０と、ステップＳ１２０と、を含む。
【００４９】
ステップＳ１１０において、端末装置がネットワーク装置からの準静的構成情報を受信し、該準静的構成情報は無線ベアラ（ＲＢ）に対応するパケットデータコンバージェンスプロトコル（ＰＤＣＰ）エンティティの複製データ伝送機能の初期状態を指示するために使用され、該初期状態はオン状態又はオフ状態を含む。
【００５０】
ステップＳ１２０において、該端末装置が該準静的構成情報に基づいて、第１のＲＢを確立する。
【００５１】
具体的には、ネットワーク装置は、確立されるＲＢに対応するＰＤＣＰエンティティの複製データ伝送機能の初期状態を端末装置に対して設定することができる。例えば、ネットワーク装置は、現在のサービスがデータ伝送について信頼性を求めるかどうかに基づいて決定することができる。求められるデータ伝送の信頼性が高い場合、該初期状態をオン状態にすることを端末装置に通知することができる。つまり、端末装置により確立されるいずれかのＲＢは最終的には複製データを伝送することができる。例えば、確立されるいずれかのＲＢのＰＤＣＰエンティティと複数のＲＬＣエンティティとを関連付ける。求められるデータ伝送の信頼性が高くない場合、ネットワーク装置は、該初期状態をオフ状態にすることを端末装置に通知することができる。つまり、端末装置により確立されるいずれかのＲＢは最終的には非複製データを伝送することができる。例えば、確立されるいずれかのＲＢのＰＤＣＰエンティティと複数のＲＬＣエンティティとを関連付ける。この場合、端末装置自体は、該複数のＲＬＣエンティティのうちの少なく１つのＲＬＣによる非複製データの伝送を決定することができる。又は、ネットワーク装置は、複数のＲＬＣエンティティのうちの少なくとも１つのＲＬＣエンティティによる非複製データの伝送を行うという指示を端末装置に送る。なお、端末装置は、確立されるＲＢのＰＤＣＰエンティティと１つのＲＬＣエンティティとを関連付けることもできる。従って、端末装置は、該１つのＲＬＣエンティティを直接的に用いて非複製データを伝送することができる。
【００５２】
従って、本願の実施例のデータを伝送するための方法は、ネットワーク装置の設定に基づいてベアラを確立し、データ伝送の信頼性の向上に寄与する。
【００５３】
理解すべき点として、上記準静的構成情報は、無線リソース制御（Ｒａｄｉｏ  Ｒｅｓｏｕｒｃｅ  Ｃｏｎｔｒｏｌ：ＲＲＣ）シグナリングと解釈されることもある。ネットワーク装置が準静的構成情報に基づいて対応するベアラを確立することは、一定時間内にいずれかのＲＢに対応するＰＤＣＰエンティティの複製データ伝送機能の状態が決まったものであり、一定時間内にネットワーク装置が端末装置に更なる指示を送信しないと、端末装置が常に、ネットワーク装置により設定された該ＲＢに対応するＰＤＣＰエンティティの複製データ伝送機能の初期状態のみでデータを伝送することがあることを表す。つまり、ネットワーク装置により該端末装置について設定されたいずれかのＲＢに対応するＰＤＣＰエンティティの複製データ伝送機能の状態がオフ状態であれば、端末装置は、一定時間内に該ＲＢのみにより非複製データを伝送する。又は、ネットワーク装置により該端末装置について設定されたいずれかのＲＢに対応するＰＤＣＰエンティティの複製データ伝送機能の状態がオン状態であれば、端末装置は、一定時間内に該ＲＢのみにより複製データを伝送する。
【００５４】
更に理解すべき点として、上述したとおり、複製データを伝送する場合、いずれかのＲＢに対応するＰＤＣＰは複数のＲＬＣエンティティに対応してもよい。説明のために、以下に２つのＲＬＣエンティティに対応するものを例示し、本願の実施例はこれに限定されない。
【００５５】
データ伝送の柔軟性を更に向上させるために、任意選択的に、本願の実施例において、該方法は、該端末装置がネットワーク装置からの、該第１のＲＢに対応するＰＤＣＰエンティティの複製データ伝送状態の切り替えを指示するための切り替え情報を受信することと、該端末装置が該切り替え情報に基づいて、該ネットワーク装置にデータを送信することとを更に含む。
【００５６】
具体的には、ネットワーク装置は、一定時間経過後、現在のチャネル品質等に基づいていずれかのＲＢに対応するＰＤＣＰエンティティの複製データ伝送状態を動的に調整することができる。例えば、ネットワーク装置は、一定時間経過後、いずれかのＲＢの伝送品質が好ましくないことを見出すると、この前に設定された該ＲＢの状態がオフ状態であるとすれば、ネットワーク装置は、該ＲＢをオン状態に切り替える可能となるという指示を端末装置に送ることができる。つまり、該複製データ伝送機能の有効化という指示を該ＲＢに送る。即ち、データ伝送の信頼性を確保するために、端末装置は該ＲＢを用いて複製データを伝送することができる。又は、ネットワーク装置は、一定時間経過後、いずれかのＲＢの伝送品質が好ましいことを見出すと、この前に設定された該ＲＢに対応するＰＤＣＰが２つのＲＬＣと関連付けられているとすれば、ネットワーク装置は、該ＲＢをオフ状態に切り替える可能となるという指示を端末装置に送ることができる。つまり、該複製データ伝送機能の無効化という指示を該ＲＢに送ることができる。端末装置は該２つのＲＬＣエンティティのうちの１つのＲＬＣエンティティを用いて非複製データを伝送することができる。
【００５７】
理解すべき点として、以上は、ネットワーク装置が１つのＲＢを動的に調整することを例として説明するが、ネットワーク装置は複数のＲＢに対応するＰＤＣＰエンティティの複製データ伝送状態を動的に調整することもできる。
【００５８】
具体的には、ネットワーク装置は、複製データ伝送機能の有効化を行うかどうかに関する指示を幾つかのＲＢに直接的に送ることができる。例えば、ネットワーク装置はビットマップ方式で複数のＲＢに指示を送ることができる。１つのｂｉｔでいずれかのＲＢが複製データ伝送機能の有効化を行うかどうかを表す旨をネットワーク装置と端末装置との間で予め約束してもよい。「１」が、該ＲＢが複製データ伝送機能を有効化することを表すと、端末装置は該ＲＢを用いて複製データの伝送を行うことができる。「０」が、該ＲＢが複製データ伝送機能を無効化することを表すと、該端末装置は該ＲＢを用いて非複製データの伝送を行うことができる。従って、ネットワーク装置は、端末装置に指示情報を送信することができる。該指示情報における１つのｂｉｔは該複製データ伝送機能の有効化を行うどうかに関する指示を該ＲＢに送るために単独して用いられる。ネットワーク装置は指示情報において１つのｂｉｔを多重化することもできる。つまり、該指示情報にそもそも該ｂｉｔが存在しており、それは他の情報を指示するためのものであるが、複製データ伝送機能の有効化を行うかどうかに関する指示を該ＲＢに送るためのものでもある。同様に、ネットワーク装置は、複製データ伝送機能の有効化を行うかどうかに関する指示を複数のＲＢ送る必要がある場合、１つビットマップを使用してもよい。該ビットマップのビット数は、ネットワーク装置により端末に対して指示されるＲＢの数を表す。該ビットマップにおける各ビットはいずれも、それの表したＲＢが複製データ伝送機能の有効化を行うかどうかを指示するために用いられるものである。例として、一般的には無線通信においてＤＲＢの数は最大８個である。１つの８ビットのビットマップを用いることができる。該８個のＤＲＢを該ビットマップに予めマッピングすることができる。つまり、ビットマップにおける各ビットはいずれも、該８個のＤＲＢのうちの１つのＤＲＢを表すものであり、且つ、ネットワーク装置及び端末装置はこのようなマッピング関係を予め知った。従って、端末装置は、該ビットマップを受信した後、このようなマッピング関係に基づいて、各ｂｉｔの表すＤＲＢが複製データ伝送機能の有効化を行うかどうかを確認することができる。
【００５９】
任意選択的に、ネットワーク装置は端末装置に少なくとも１つのＲＢの識別子を送信することもできる。該少なくとも１つのＲＢのうちの各ＲＢの識別子は、該複製データ伝送機能の有効化を対応するＲＢに指示するために用いられる。又は該各ＲＢの識別子は、該複製データ伝送機能の無効化を対応するＲＢに指示するために用いられる。
【００６０】
具体的には、ネットワーク装置から端末装置へのＲＢの識別子が、該ＲＢが複製データ送信機能を使用できることを表すか、又はネットワーク装置から端末装置へのＲＢの識別子が、複製データ送信機能を使用しなくてもよいことを表す旨をネットワーク装置と端末装置との間で予め約束してもよい。ネットワーク装置は、どのＲＢが複製データ送信機能を使用できるか又はどのＲＢが複製データ送信機能を使用しなくてもよいかを決定してから、端末装置にこれらのＲＢの識別子を送信することができる。端末装置は、これらのＲＢの識別子を受信してから、約束した規則に応じて、どのＲＢが複製データ送信機能を使用できるか又はどのＲＢが複製データ送信機能を使用しなくてもよいかを了解することができる。更に、端末装置は対応するＲＢを用いて複製データ又は非複製データを送信することができる。
【００６１】
理解すべき点として、上記二種類の指示方式は概略的に説明するためのものに過ぎず、本願の実施例はこれらに限定されない。ＲＢが複製データ伝送機能を有効化するかどうかを指示するための如何なる方式は、いずれも本願の実施例の保護範囲にも含まれる。
【００６２】
任意選択的に、本願の実施例において、該初期状態がオン状態であり、該端末装置が該切り替え情報に基づいて、該ネットワーク装置にデータを送信することは、該端末装置が該第１のＲＢに対応するＰＤＣＰエンティティに対応する複数のＲＬＣエンティティのうちの第１のＲＬＣエンティティによって該ネットワーク装置に非複製データを送信することを含む。
【００６３】
具体的には、ネットワーク装置が、いずれかのＲＢの状態をオン状態からオフ状態に切り替えることを端末装置に指示すると、即ちいずれかのＲＢによる複製データ機能の無効化を指示する場合、つまりこの前に端末装置が該ＲＢを用いて複製データを伝送した場合、該ＲＢに対応するＰＤＣＰエンティティ自体は２つのＲＬＣエンティティに対応し、端末装置はネットワーク装置からの指示を受信してから、該ＲＢに対応するＰＤＣＰエンティティに対応する複数のＲＬＣエンティティのうちの１つ又は複数のＲＬＣエンティティを用いて非複製データを伝送することができる。
【００６４】
任意選択的に、本願の実施例において、該方法は、該第１のＲＬＣエンティティを指示するための指示情報を受信することを更に含む。
【００６５】
任意選択的に、端末装置は、一定の規則に基づいて、該複数のＲＬＣエンティティのうちのどのＲＬＣエンティティを用いて非複製データの伝送を行うかを自ら決定することができる。ネットワーク装置は、該複数のＲＬＣエンティティのうちのどのＲＬＣエンティティが非複製データの伝送を行うことができないかを指示するための指示を端末装置に送信することもできる。従って、端末装置は、該複数のＲＬＣエンティティのうちの他のＲＬＣエンティティを用いて非複製データの伝送を行うことができる。端末装置は、該複数のＲＬＣエンティティのうちの、非複製データの伝送に用いられないＲＬＣエンティティをリリースすることもできる。
【００６６】
任意選択的に、本願の実施例において、該初期状態がオフ状態であり、該端末装置が該切り替え情報に基づいて、該ネットワーク装置にデータを送信することは、該第１のＲＢに対応するＰＤＣＰエンティティが複数のＲＬＣエンティティに対応する場合、該端末装置が該複数のＲＬＣエンティティのうちの少なくとも２つのＲＬＣエンティティにより該ネットワーク装置に複製データを送信することを含む。
【００６７】
任意選択的に、ＲＢに設定されたデフォルト状態が、データ複製伝送機能の無効化状態となる場合、該ＲＢがこの前に非複製データを伝送してきたと理解される。この場合、ネットワークは、１つのＰＤＣＰが複数のＲＬＣエンティティに対応するように、該ＲＢに対して設定を行う。つまり、ネットワークは、該ＲＢに対応するＰＤＣＰエンティティを複数のＲＬＣエンティティと対応させることができる。しかしながら、ネットワークは、この前に該複数のＲＬＣエンティティを複製データの伝送に使用せず、これらを非複製データの伝送に使用していた。例えば、端末装置は、該ＲＢに対応するＰＤＣＰに対応する複数のＲＬＣエンティティのうちの１つのＲＬＣエンティティ又は複数のＲＬＣエンティティを用いて非複製データを伝送することができる。従って、ネットワークは、複製データ伝送機能の有効化を該ＲＢに指示すると、該複数のＲＬＣエンティティのうちの一部又は全てのＲＬＣエンティティを直接的に使用して複製データを伝送することができる。
【００６８】
任意選択的に、本願の実施例において、該初期状態がオフ状態であり、該端末装置が該切り替え情報に基づいて、該ネットワーク装置にデータを送信することは、該第１のＲＢに対応するＰＤＣＰエンティティが１つのＲＬＣエンティティに対応する場合、該端末装置が該ネットワーク装置からの、複製データの伝送に用いられる別の少なくとも１つのＲＬＣエンティティを指示するための指示情報を受信することと、該端末装置が該１つのＲＬＣエンティティ及び該少なくとも１つのＲＬＣエンティティにより該ネットワーク装置に複製データを送信することと、を含む。
【００６９】
具体的には、該指示情報は、いずれかのＲＬＣエンティティ又は幾つかのＲＬＣエンティティに対応する論理チャネルの識別子であってもよい。つまり、端末装置が幾つかの論理チャネルの識別子を受信しさえすれば、該論理チャネルに対応するＲＬＣエンティティをいずれかのＲＢのＰＤＣＰと関連付けることができることを表す旨をネットワークで予め約束してもよい。又は、端末装置が幾つかの論理チャネルの識別子を受信しさえすれば、該論理チャネル以外の論理チャネルに対応するＲＬＣエンティティをいずれかのＲＬＣエンティティと関連付けることができることを表す旨をネットワークで予め約束してもよい。
【００７０】
同様に、いずれかの論理チャネルに対応するＲＬＣエンティティをいずれかのＲＢに対応するＰＤＣＰと関連づけることができることを明示的に指示することができる。「１」が論理チャネル０を表し、「０」が論理チャネル１を表す旨をネットワークで予め約束するとすれば、端末装置は、いずれかのＲＢに対応する該指示情報を受信してから、いずれかの論理チャネルに対応するＲＬＣエンティティを該ＲＢに対応するＰＤＣＰエンティティと関連づけることができることを了解できる。
【００７１】
理解すべき点として、以上に「０」及び「１」という２つの値を例として説明するが、各ビットの具体的な値は１つの集合における値であってもよく、「０」及び「１」に限定されず、例えば、それぞれ「０」−「２」で論理チャネル０から論理チャネル２を表すことができる。本願の実施例はこれに限定されない。また上記値の表す意味も限定されない。
【００７２】
任意選択的に、本願の実施例において、該端末装置が該ネットワーク装置からの切り替え情報を受信することは、該端末装置が媒体アクセス制御（ＭＡＣ）制御エレメント（ＣＥ）によりネットワーク装置からの該切り替え情報を受信することを含む。
【００７３】
理解すべき点として、本願の実施例が提供する切り替え情報はＭＡＣシグナリングによって搬送されてもよく、第１指示情報は、ＰＨＹシグナリング、ＲＬＣレイヤのシグナリング等といった他のレイヤのシグナリングによって搬送されてもよく、本願の実施例はこれらに限定されない。
【００７４】
図４は本願の実施例のデータを伝送するための方法２００を示す概略的ブロック図である。図４に示すように、該方法２００は、ステップＳ２１０を含む。
【００７５】
ステップＳ２１０において、ネットワーク装置が準静的構成情報を端末装置に送信し、該準静的構成情報は無線ベアラ（ＲＢ）に対応するパケットデータコンバージェンスプロトコル（ＰＤＣＰ）エンティティの複製データ伝送機能の初期状態を指示するために使用され、該初期状態はオン状態又はオフ状態を含む。
【００７６】
ネットワークによりＰＤＣＰの複製データ伝送機能を設定することで、データ伝送の信頼性の向上に寄与する。
【００７７】
任意選択的に、本願の実施例において、該方法２００は、該ネットワーク装置が、第１のＲＢに対応するＰＤＣＰエンティティの複製データ伝送機能の状態の切り替えを指示するための切り替え情報を該端末装置に送信することを更に含む。
【００７８】
任意選択的に、本願の実施例において、該初期状態がオン状態であり、該方法は、該ネットワーク装置が該第１のＲＢに対応するＰＤＣＰエンティティに対応する複数の無線リンク制御（ＲＬＣ）エンティティのうちの第１のＲＬＣエンティティにより、該端末装置からの非複製データを受信することを更に含む。
【００７９】
任意選択的に、本願の実施例において、該方法は、該ネットワーク装置が、該第１のＲＬＣエンティティを指示するための指示情報を該端末装置に送信することを更に含む。
【００８０】
任意選択的に、本願の実施例において、該初期状態がオフ状態であり、該方法は、該第１のＲＢに対応するＰＤＣＰエンティティが複数のＲＬＣエンティティに対応する場合、該ネットワーク装置が該複数のＲＬＣエンティティのうちの少なくとも２つのＲＬＣエンティティにより、該端末からの複製データを受信することを更に含む。
【００８１】
任意選択的に、本願の実施例において、該初期状態がオフ状態であり、該方法は、該第１のＲＢに対応するＰＤＣＰエンティティが一つのＲＬＣエンティティのみに対応する場合、該ネットワーク装置が、別の少なくとも１つのＲＬＣエンティティを指示するための指示情報を該端末装置に送信することと、該ネットワーク装置が該１つのＲＬＣエンティティ及び該少なくとも１つのＲＬＣエンティティにより、該端末装置からの複製データを受信することとを更に含む。
【００８２】
任意選択的に、本願の実施例において、該ネットワーク装置が該端末装置に切り替え情報を送信することは、該ネットワーク装置が該切り替え情報を媒体アクセス制御（ＭＡＣ）制御エレメント（ＣＥ）により該端末装置に送信することを含む。
【００８３】
任意選択的に、本願の実施例において、該ＲＢは、データ無線ベアラ（ＤＲＢ）及び／又はシグナリング無線ベアラ（ＳＲＢ）を含む。
【００８４】
理解すべき点として、ネットワークに関して説明したネットワーク装置と端末装置との相互作用及び関連特性、機能は端末装置の関連特性、機能に対応する。且つ、関連情報は上記方法１００において詳しく説明した。簡素化を図るために、ここで詳しく説明しないようにする。
【００８５】
理解すべき点として、本願の様々な実施例において、上記各プロセスの番号の大きさは実行順番を意味するものではなく、各プロセスの実行順番は、その機能及び内在的なロジックにより決定されるのであって、本願の実施例の実施過程に対しいかなる限定も構成してはならない。
【００８６】
以上、本願の実施例によるデータを伝送するための方法を詳しく説明したが、以下に図５から図８を参照しつつ、本願の実施例によるデータを伝送するための装置を説明し、方法の実施例に説明した技術的特徴は以下の装置の実施例に適用される。
【００８７】
図５は本願の実施例の端末装置３００を示す概略的ブロック図である。図５に示すように、該端末装置３００は、
ネットワーク装置からの準静的構成情報を受信するための第１受信ユニット３１０であって、前記準静的構成情報は無線ベアラ（ＲＢ）に対応するパケットデータコンバージェンスプロトコル（ＰＤＣＰ）エンティティの複製データ伝送機能の初期状態を指示するために使用され、前記初期状態はオン状態又はオフ状態を含む、第１受信ユニット３１０と、
該準静的構成情報に基づいて、第１のＲＢを確立するための確立ユニット３２０と、を備える。
【００８８】
従って、本願の実施例の端末装置は、データ伝送の信頼性の向上に寄与する。
【００８９】
任意選択的に、本願の実施例において、該第１のＲＢは、１つのＰＤＣＰエンティティと、該１つのＰＤＣＰエンティティに対応する複数の無線リンク制御（ＲＬＣ）エンティティとを備える。
【００９０】
任意選択的に、本願の実施例において、該初期状態がオフ状態であり、該第１のＲＢは１つのＰＤＣＰエンティティと、該１つのＰＤＣＰエンティティに対応する１つの無線リンク制御（ＲＬＣ）エンティティとを備える。
【００９１】
任意選択的に、本願の実施例において、該端末装置３００は、該ネットワーク装置からの、該第１のＲＢに対応するＰＤＣＰエンティティの複製データ伝送状態の切り替えを指示するための切り替え情報を受信するための第２受信ユニットと、該切り替え情報に基づいて、該ネットワーク装置にデータを送信するための送信ユニットとを更に備える。
【００９２】
任意選択的に、本願の実施例において、該初期状態がオン状態であり、該送信ユニットは具体的には、該第１のＲＢに対応するＰＤＣＰエンティティに対応する複数のＲＬＣエンティティのうちの第１のＲＬＣエンティティにより該ネットワーク装置に非複製データを送信するために用いられる。
【００９３】
任意選択的に、本願の実施例において、該端末装置３００は、該第１のＲＬＣエンティティを指示するための指示情報を受信するための第２受信ユニットを更に備える。
【００９４】
任意選択的に、本願の実施例において、該初期状態がオフ状態であり、該送信ユニットは具体的には、該第１のＲＢに対応するＰＤＣＰエンティティが複数のＲＬＣエンティティに対応する場合、該複数のＲＬＣエンティティのうちの少なくとも２つのＲＬＣエンティティにより該ネットワーク装置に複製データを送信するために用いられる。
【００９５】
任意選択的に、本願の実施例において、該初期状態がオフ状態であり、該送信ユニットは具体的には、該第１のＲＢに対応するＰＤＣＰエンティティが１つのＲＬＣエンティティに対応する場合、該ネットワーク装置からの、複製データの伝送に用いられる別の少なくとも１つのＲＬＣエンティティを指示するための指示情報を受信し、該１つのＲＬＣエンティティ及び該少なくとも１つのＲＬＣエンティティにより該ネットワーク装置に複製データを送信するために用いられる。
【００９６】
任意選択的に、本願の実施例において、該第１受信ユニットは具体的には、媒体アクセス制御（ＭＡＣ）制御エレメント（ＣＥ）により該ネットワーク装置からの該切り替え情報を受信するために用いられる。
【００９７】
任意選択的に、本願の実施例において、該ＲＢはデータ無線ベアラ（ＤＲＢ）及び／又はシグナリング無線ベアラ（ＳＲＢ）を含む。
【００９８】
理解すべき点として、本願の実施例による端末装置３００は、本願の実施例における端末装置に対応してもよく、且つ端末３００における各ユニットの上記及び他の操作及び／又は機能はそれぞれ図３に示した方法における端末装置に対応するプロセスを実現するためのものであり、簡素化を図るために、ここで詳しく説明しないようにする。
【００９９】
図６は本願の実施例のネットワーク装置４００を示す概略的ブロック図である。図６に示すように、該ネットワーク装置４００は、
準静的構成情報を決定するための決定ユニット４１０であって、該準静的構成情報は無線ベアラ（ＲＢ）に対応するパケットデータコンバージェンスプロトコル（ＰＤＣＰ）エンティティの複製データ伝送機能の初期状態を指示するために使用され、該初期状態はオン状態又はオフ状態を含む、決定ユニット４１０と、
端末装置に該準静的構成情報を送信するための第１送信ユニット４２０と、を備える。
【０１００】
従って、本願の実施例の端末装置はデータ伝送の信頼性の向上に寄与する。
【０１０１】
任意選択的に、本願の実施例において、該ネットワーク装置４００は、第１のＲＢに対応するＰＤＣＰエンティティの複製データ伝送機能の状態の切り替えを指示するための切り替え情報を該端末装置に送信するための第２送信ユニットを更に備える。
【０１０２】
任意選択的に、本願の実施例において、該初期状態がオン状態であり、該ネットワーク装置４００は、該第１のＲＢに対応するＰＤＣＰエンティティに対応する複数の無線リンク制御（ＲＬＣ）エンティティのうちの第１のＲＬＣエンティティにより、該端末装置からの非複製データを受信するための受信ユニットを更に備える。
【０１０３】
任意選択的に、本願の実施例において、該ネットワーク装置４００は、該第１のＲＬＣエンティティを指示するための指示情報を該端末装置に送信するための第３送信ユニットを備える。
【０１０４】
任意選択的に、本願の実施例において、該初期状態がオフ状態であり、該ネットワーク装置４００は、該第１のＲＢに対応するＰＤＣＰエンティティが複数のＲＬＣエンティティに対応する場合、該複数のＲＬＣエンティティのうちの少なくとも二つのＲＬＣエンティティにより、該端末装置からの複製データを受信するための受信ユニットを更に備える。
【０１０５】
任意選択的に、本願の実施例において、該初期状態がオフ状態であり，該ネットワーク装置４００は、該第１のＲＢに対応するＰＤＣＰエンティティが一つのＲＬＣエンティティのみに対応する場合、別の少なくとも１つのＲＬＣエンティティを指示するための指示情報を該端末装置に送信するための第３送信ユニットと、該１つのＲＬＣエンティティ及び該少なくとも１つのＲＬＣエンティティにより、該端末装置からの複製データを受信するための受信ユニットとを更に備える。
【０１０６】
任意選択的に、本願の実施例において、該該第１送信ユニットは具体的には、媒体アクセス制御（ＭＡＣ）制御エレメント（ＣＥ）により該端末装置に該切り替え情報を送信するために用いられる。
【０１０７】
任意選択的に、本願の実施例において、該ＲＢはデータ無線ベアラ（ＤＲＢ）及び／又はシグナリング無線ベアラ（ＳＲＢ）を含む。
【０１０８】
理解すべき点として、本願の実施例によるネットワーク装置４００は、本願の実施例におけるネットワーク装置に対応してもよく、且つネットワーク装置４００における各ユニットの上記及び他の操作及び／又は機能はそれぞれ図４に示した方法におけるネットワーク装置に対応するプロセスを実現するためのものであり、簡素化を図るために、ここで詳しく説明しないようにする。
【０１０９】
図７に示すように、本願の実施例は端末装置５００を更に提供する。該端末装置５００は図５に示した端末装置３００であってもよく、それは、図３に示した方法１００に対応する端末装置のプロセスの実行に用いられる。該端末装置５００は、入力インタフェース５１０と、出力インタフェース５２０と、プロセッサ５３０と、メモリ５４０と、を備える。該入力インタフェース５１０、出力インタフェース５２０、プロセッサ５３０及びメモリ５４０はバスシステムを介して接続される。該メモリ５４０は、プログラム、命令又はコードを記憶するために用いられる。該プロセッサ５３０は、該メモリ５４０におけるプログラム、命令又はコードを実行し、入力インタフェース５１０による信号受信、出力インタフェース５２０による信号送信を制御し、前記方法における操作を完成するために用いられる。
【０１１０】
従って、本願の実施例の端末装置はデータ伝送の信頼性の向上に寄与する。
【０１１１】
理解すべき点として、本願の実施例において、該プロセッサ５３０は、中央処理装置（Ｃｅｎｔｒａｌ  Ｐｒｏｃｅｓｓｉｎｇ  Ｕｎｉｔ：ＣＰＵ）であってもよく、該プロセッサ５３０はまた、他の汎用プロセッサ、デジタル信号プロセッサ、特定用途向け集積回路、現場でプログラム可能なゲートアレイ又は他のプログラマブルロジックデバイス、ディスクリートゲート又はトランジスタロジックデバイス、ディスクリートハードウェアコンポーネント等であってもよい。汎用プロセッサはマイクロプロセッサであってもよいし、該プロセッサは如何なる従来のプロセッサ等であってもよい。
【０１１２】
該メモリ５４０は読み取り専用メモリ及びランダムアクセスメモリを含み、プロセッサ５３０に命令及びデータを提供する。メモリ５４０の一部は、不揮発性ランダムアクセスメモリを更に含んでもよい。例えば、メモリ５４０は機器タイプに関する情報を記憶することもできる。
【０１１３】
上記方法の各プロセスは、実現する過程において、プロセッサ５３０におけるハードウェアの集積論理回路又はソフトウェアの形の命令により完成することができる。本願の実施例に開示されている方法のプロセスに合わせて、ハードウェアプロセッサによって完成し、又はプロセッサにおけるハードウェアとソフトウェアモジュールとの組み合わせで実行して完成するように示す。ソフトウェアモジュールは、ランダムアクセスメモリ、フラッシュメモリ、読み取り専用メモリ、プログラマブル読み取り専用メモリ又は電気的消去プログラム可能なメモリ、レジスタ等の本分野の従来の記憶媒体内に存在してもよい。該記憶媒体はメモリ５４０内に位置し、プロセッサ５３０はメモリ５４０中の情報を読み取り、そのハードウェアと共に上記方法のプロセスを完了する。説明の繰り返しを避けるために、ここで詳しく説明しないようにする。
【０１１４】
具体的な実施形態において、端末装置３００における第１受信ユニット及び第２受信ユニットは、図７に示した入力インタフェース５１０により実現することができる。端末装置３００の送信ユニットは図７に示した出力インタフェース５２０により実現することができる。端末装置３００における確立ユニットは図７に示したプロセッサ５３０により実現することができる。
【０１１５】
図８に示すように、本願の実施例は、ネットワーク装置６００を更に提供する。該ネットワーク６００は、図６に示したネットワーク装置４００であってもよく、それは、図４に示した方法２００に対応するネットワーク装置のプロセスの実行に用いられる。該ネットワーク装置６００は、入力インタフェース６１０と、出力インタフェース６２０と、プロセッサ６３０と、メモリ６４０と、を備える。該入力インタフェース６１０、出力インタフェース６２０、プロセッサ６３０及びメモリ６４０はバスシステムを介して接続される。該メモリ６４０は、プログラム、命令又はコードを記憶するために用いられる。該プロセッサ６３０は、該メモリ６４０におけるプログラム、命令又はコードを実行し、入力インタフェース６１０による信号受信、出力インタフェース６２０による信号送信を制御し、前記方法の実施例における操作を完成するために用いられる。
【０１１６】
従って、本願の実施例のネットワーク装置はデータ伝送の信頼性の向上に寄与する。
【０１１７】
理解すべき点として、本願の実施例において、該プロセッサ６３０は、中央処理装置（Ｃｅｎｔｒａｌ  Ｐｒｏｃｅｓｓｉｎｇ  Ｕｎｉｔ：ＣＰＵ）であってもよく、該プロセッサ６３０はまた、他の汎用プロセッサ、デジタル信号プロセッサ、特定用途向け集積回路、現場でプログラム可能なゲートアレイ又は他のプログラマブルロジックデバイス、ディスクリートゲート又はトランジスタロジックデバイス、ディスクリートハードウェアコンポーネント等であってもよい。汎用プロセッサはマイクロプロセッサであってもよいし、該プロセッサは如何なる従来のプロセッサ等であってもよい。
【０１１８】
該メモリ６４０は読み取り専用メモリ及びランダムアクセスメモリを含み、プロセッサ６３０に命令及びデータを提供する。メモリ６４０の一部は、不揮発性ランダムアクセスメモリを更に含んでもよい。例えば、メモリ６４０は機器タイプに関する情報を記憶することもできる。
【０１１９】
上記方法の各プロセスは、実現する過程において、プロセッサ６３０におけるハードウェアの集積論理回路又はソフトウェアの形の命令により完成することができる。本願の実施例に開示されている方法のプロセスに合わせて、ハードウェアプロセッサによって完成し、又はプロセッサにおけるハードウェアとソフトウェアモジュールとの組み合わせで実行して完成するように示す。ソフトウェアモジュールは、ランダムアクセスメモリ、フラッシュメモリ、読み取り専用メモリ、プログラマブル読み取り専用メモリ又は電気的消去プログラム可能なメモリ、レジスタ等の本分野の従来の記憶媒体内に存在してもよい。該記憶媒体はメモリ６４０内に位置し、プロセッサ６３０はメモリ６４０中の情報を読み取り、そのハードウェアと共に上記方法のプロセスを完了する。説明の繰り返しを避けるために、ここで詳しく説明しないようにする。
【０１２０】
具体的な実施形態において、ネットワーク装置４００における第１送信ユニット、第２送信ユニット及び第３送信ユニットは、図８に示した出力インタフェース６２０により実現することができる。端末装置４００の受信ユニットは図８に示した入力インタフェース６１０により実現することができる。端末装置４００における決定ユニットは図８に示したプロセッサ６３０により実現することができる。
【０１２１】
当業者であれば、本明細書に開示されている実施例に関係して記載された種々の例示的なユニット及びアルゴリズムステップは、電子ハードウェア、又はコンピュータソフトウェアと電子ハードウェアとの組み合わせとして実現されることが十分理解され得る。ハードウェアとソフトウェアとのどちらで、これらの機能を実行するかは、技術的解決手段の特定の応用及び設計上の制限条件により決められる。当業者は、特定の用途毎に記載の機能を実現するために異なる方法を使用してもよいが、この実現が本願の範囲を超えるものとして考えられるべきではない。
【０１２２】
説明上の便宜及び簡素化を図るために、上記説明されたシステム、装置及びユニットの具体的な作動過程は、前記方法の実施例における対応した過程を参照することができるから、ここで詳しく説明しないようにすることは、当業者にはっきり理解されるべきである。
【０１２３】
本願で提供する幾つかの実施例で開示したシステム、装置及び方法は、他の方式によって実現できることを理解すべきである。例えば、以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよいし、別のシステムに組み込んでもよい。又は若干の特徴を無視してもよいし、実行しなくてもよい。また、示したか或いは検討した相互間の結合又は直接的な結合又は通信接続は、幾つかのインタフェース、装置又はユニットによる間接的な結合又は通信接続であってもよく、電気的、機械的または他の形態であってもよい。
【０１２４】
分離部材として説明した該ユニットは、物理的に別個のものであっても  よいし、そうでなくてもよい。ユニットとして示された部材は、物理的ユニットであってもよいし、そうでなくてもよい。即ち、同一の位置に位置してもよいし、複数のネットワークに分布してもよい。実際の需要に応じてそのうちの一部又は全てのユニットにより本実施例の方策の目的を実現することができる。
【０１２５】
また、本願の各実施例における各機能ユニットは一つの処理ユニットに集積されてもよいし、各ユニットが物理的に別個のものとして存在してもよいし、２つ以上のユニットが一つのユニットに集積されてもよい。
【０１２６】
該機能はソフトウェア機能ユニットの形で実現され、かつ独立した製品として販売または使用されるとき、コンピュータにより読み取り可能な記憶媒体内に記憶されてもよい。このような理解のもと、本願の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本願の各実施例に記載の方法の全部又は一部のステップを実行させるための若干の命令を含む。前記の記憶媒体は、Ｕディスク、リムーバブルハードディスク、読み出し専用メモリ（Ｒｅａｄ-ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、ディスク、又は光ディスクなど、プログラムコードを記憶可能な各種の媒体を含む。
【０１２７】
以上は本願の具体的な実施形態に過ぎず、本願の保護の範囲はそれらに制限されるものではなく、当業者が本願に開示された技術範囲内で容易に想到しうる変更や置換はいずれも、本願の保護範囲内に含まれるべきである。従って、本願の保護範囲は特許請求の範囲の保護範囲を基準とするべきである。
【図１】
2020529145.tif 000003
【図２】
2020529145.tif 000004
【図３】
2020529145.tif 000005
【図４】
2020529145.tif 000006
【図５】
2020529145.tif 000007
【図６】
2020529145.tif 000008
【図７】
2020529145.tif 000009
【図８】
2020529145.tif 000010
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
データを伝送するための方法であって、
端末装置がネットワーク装置からの準静的構成情報を受信することであって、前記準静的構成情報は無線ベアラ（ＲＢ）に対応するパケットデータコンバージェンスプロトコル（ＰＤＣＰ）エンティティの複製データ伝送機能の初期状態を指示するために使用され、前記初期状態はオン状態又はオフ状態を含むことと、
前記端末装置が前記準静的構成情報に基づいて、第１のＲＢを確立することと、を含むことを特徴とする、前記方法。
【請求項２】
前記第１のＲＢは１つのＰＤＣＰエンティティ及び前記１つのＰＤＣＰエンティティに対応する複数の無線リンク制御（ＲＬＣ）エンティティを含み、
又は、
前記初期状態がオフ状態であり、前記第１のＲＢは１つのＰＤＣＰエンティティ及び前記１つのＰＤＣＰエンティティに対応する１つの無線リンク制御（ＲＬＣ）エンティティを含むことを特徴とする
請求項１に記載の方法。
【請求項３】
前記方法は、前記端末装置がネットワーク装置からの、前記第１のＲＢに対応するＰＤＣＰエンティティの複製データ伝送状態の切り替えを指示するための切り替え情報を受信することと、
前記端末装置が前記切り替え情報に基づいて、前記ネットワーク装置にデータを送信することと、を更に含むことを特徴とする
請求項１又は２に記載の方法。
【請求項４】
前記初期状態がオン状態であり、前記端末装置が前記切り替え情報に基づいて、前記ネットワーク装置にデータを送信することは、
前記端末装置が前記第１のＲＢに対応するＰＤＣＰエンティティに対応する複数のＲＬＣエンティティのうちの第１のＲＬＣエンティティによって前記ネットワーク装置に非複製データを送信することを含むことを特徴とする
請求項３に記載の方法。
【請求項５】
前記方法は、前記端末装置が前記第１のＲＬＣエンティティを指示するための指示情報を受信することを更に含むことを特徴とする
請求項４に記載の方法。
【請求項６】
前記初期状態がオフ状態であり、前記端末装置が前記切り替え情報に基づいて、前記ネットワーク装置にデータを送信することは、
前記１ＲＢに対応するＰＤＣＰエンティティが複数のＲＬＣエンティティに対応する場合、前記端末装置が前記複数のＲＬＣエンティティのうちの少なくとも２つのＲＬＣエンティティにより前記ネットワーク装置に複製データを送信すること、
又は、
前記第１のＲＢに対応するＰＤＣＰエンティティが１つのＲＬＣエンティティに対応する場合、前記端末装置が前記ネットワーク装置からの、複製データの伝送に用いられる別の少なくとも１つのＲＬＣエンティティを指示するための指示情報を受信することと、前記端末装置が前記１つのＲＬＣエンティティ及び前記少なくとも１つのＲＬＣエンティティにより前記ネットワーク装置に複製データを送信することと、を含むことを特徴とする
請求項３に記載の方法。
【請求項７】
前記端末装置が前記ネットワーク装置からの切り替え情報を受信することは、
前記端末装置が前記ネットワーク装置からの前記切り替え情報を媒体アクセス制御（ＭＡＣ）制御エレメント（ＣＥ）により受信することを含むことを特徴とする
請求項３から６のうちいずれか一項に記載の方法。
【請求項８】
前記ＲＢはデータ無線ベアラ（ＤＲＢ）及び／又はシグナリング無線ベアラ（ＳＲＢ）を含むことを特徴とする
請求項１から７のうちいずれか一項に記載の方法。
【請求項９】
データを伝送するための方法であって、
ネットワーク装置が準静的構成情報を端末装置に送信することであって、前記準静的構成情報は無線ベアラ（ＲＢ）に対応するパケットデータコンバージェンスプロトコル（ＰＤＣＰ）エンティティの複製データ伝送機能の初期状態を指示するために使用され、前記初期状態はオン状態又はオフ状態を含むことを含む特徴とする、前記方法。
【請求項１０】
前記方法は、前記ネットワーク装置が、第１のＲＢに対応するＰＤＣＰエンティティの複製データ伝送機能の状態の切り替えを指示するための切り替え情報を前記端末装置に送信することを更に含むことを特徴とする
請求項９に記載の方法。
【請求項１１】
前記初期状態がオン状態であり、前記方法は、
前記ネットワーク装置が前記第１のＲＢに対応するＰＤＣＰエンティティに対応する複数の無線リンク制御（ＲＬＣ）エンティティのうちの第１のＲＬＣエンティティにより、前記端末装置からの非複製データを受信することと、
前記ネットワーク装置が、前記第１のＲＬＣエンティティを指示するための指示情報を前記端末装置に送信することと、を更に含むことを特徴とする
請求項１０に記載の方法。
【請求項１２】
前記初期状態がオフ状態であり、前記方法は、
前記第１のＲＢに対応するＰＤＣＰエンティティが複数のＲＬＣエンティティに対応する場合、前記ネットワーク装置が前記複数のＲＬＣエンティティのうちの少なくとも二つのＲＬＣエンティティにより、前記端末からの複製データを受信すること、
又は、
前記第１のＲＢに対応するＰＤＣＰエンティティが一つのＲＬＣエンティティのみに対応する場合、前記ネットワーク装置が、別の少なくとも１つのＲＬＣエンティティを指示するための指示情報を前記端末装置に送信することと、前記ネットワーク装置が前記１つのＲＬＣエンティティ及び前記少なくとも１つのＲＬＣエンティティにより、前記端末装置からの複製データを受信することと、を含むことを特徴とする
請求項１０に記載の方法。
【請求項１３】
端末装置であって、
ネットワーク装置からの準静的構成情報を受信するための第１受信ユニットであって、前記準静的構成情報は無線ベアラ（ＲＢ）に対応するパケットデータコンバージェンスプロトコル（ＰＤＣＰ）エンティティの複製データ伝送機能の初期状態を指示するために使用され、前記初期状態はオン状態又はオフ状態を含む、第１受信ユニットと、
前記準静的構成情報に基づいて、第１のＲＢを確立するための確立ユニットと、を備えることを特徴とする前記端末装置。
【請求項１４】
前記第１のＲＢは、１つのＰＤＣＰエンティティと、前記１つのＰＤＣＰエンティティに対応する複数の無線リンク制御（ＲＬＣ）エンティティとを備え、
又は、
前記初期状態がオフ状態であり、前記第１のＲＢは１つのＰＤＣＰエンティティと、前記１つのＰＤＣＰエンティティに対応する１つの無線リンク制御（ＲＬＣ）エンティティとを備えることを特徴とする
請求項１３に記載の端末装置。
【請求項１５】
前記端末装置は、
前記ネットワーク装置からの、前記第１のＲＢに対応するＰＤＣＰエンティティの複製データ伝送状態の切り替えを指示するための切り替え情報を受信するための第２受信ユニットと、
前記切り替え情報に基づいて、前記ネットワーク装置にデータを送信するための送信ユニットと、を更に備えることを特徴とする
請求項１３又は１４に記載の端末装置。
【請求項１６】
前記初期状態がオン状態であり、前記送信ユニットは具体的には、
前記第１のＲＢに対応するＰＤＣＰエンティティに対応する複数のＲＬＣエンティティのうちの第１のＲＬＣエンティティにより前記ネットワーク装置に非複製データを送信するために用いられることを特徴とする
請求項１５に記載の端末装置。
【請求項１７】
前記端末装置は、前記第１のＲＬＣエンティティを指示するための指示情報を受信するための第２受信ユニットを更に備えることを特徴とする
請求項１６に記載の端末装置。
【請求項１８】
前記初期状態がオフ状態であり、前記送信ユニットは具体的には、
前記第１のＲＢに対応するＰＤＣＰエンティティが複数のＲＬＣエンティティに対応する場合、前記複数のＲＬＣエンティティのうちの少なくとも２つのＲＬＣエンティティにより前記ネットワーク装置に複製データを送信するために用いられ、
または、
前記第１のＲＢに対応するＰＤＣＰエンティティが１つのＲＬＣエンティティに対応する場合、前記ネットワーク装置からの、複製データの伝送に用いられる別の少なくとも１つのＲＬＣエンティティを指示するための指示情報を受信し、前記１つのＲＬＣエンティティ及び前記少なくとも１つのＲＬＣエンティティにより前記ネットワーク装置に複製データを送信するために用いられることを特徴とする
請求項１５に記載の端末装置。
【請求項１９】
前記第１受信ユニットは具体的には、
媒体アクセス制御（ＭＡＣ）制御エレメント（ＣＥ）により前記ネットワーク装置からの前記切り替え情報を受信するために用いられることを特徴とする
請求項１５から１８のうちいずれか一項に記載の端末装置。
【請求項２０】
前記ＲＢはデータ無線ベアラ（ＤＲＢ）及び／又はシグナリング無線ベアラ（ＳＲＢ）を含むことを特徴とする
請求項１３から１９のうちいずれか一項に記載の端末装置。
【国際調査報告】
2020529145.tif 000011
2020529145.tif 000012
2020529145.tif 000013
2020529145.tif 000014